(57)【特許請求の範囲】
【請求項１】
上ケースと下ケースとからなり、記録テープが巻装されたリールを収容するケースと、
各種情報が記憶され、前記ケース内に所定の角度で傾斜配置される非接触型のメモリーボードと、
前記メモリーボードの上方を通過するように前記ケースに移動可能に設けられ、前記記録テープの自由端に取り付けられたリーダー部材を引き出すための開口を開閉する遮蔽部材と、
前記下ケースに形成され、前記メモリーボードを収容して該メモリーボードの位置を規制する壁状の位置規制部材と、
前記位置規制部材の前記メモリーボードの低位側に対向する側に形成され、前記遮蔽部材を通過させる切欠部と、
前記位置規制部材の前記メモリーボードの高位側に対向する側に形成され、前記遮蔽部材を通過させる開口部と、
前記上ケースに形成され、前記メモリーボードの長手方向両端部側の上面に非接触で対向する保持部材と、
を有することを特徴とする記録テープカートリッジ。
【請求項２】
前記下ケースに形成され、前記メモリーボードの下面略中央部を支持する支持部材を有することを特徴とする請求項１に記載の記録テープカートリッジ。
【発明の詳細な説明】
【技術分野】
【０００１】
本発明は、主にコンピューター等の記録再生媒体として使用される記録テープ等の記録テープをケース内に収容してなる記録テープカートリッジに関する。
【背景技術】
【０００２】
従来から、コンピューター等のデータ記録再生媒体（データバックアップ）として使用される磁気テープ等の記録テープを合成樹脂製のリールに巻装し、そのリールをケース内に単一で収容してなる記録テープカートリッジが知られている。このような記録テープカートリッジには、記録容量や記録形式等の各種情報を記憶した非接触型のメモリーボードが内蔵される場合がある。
【０００３】
このメモリーボードは、電磁波によりアクセス（読み取り・書き込み）可能に構成されており、メモリーボードに記憶されている各種情報を、ケースの後面側からアクセスするライブラリー装置や、ケースの下面側からアクセスするドライブ装置に対応可能なように、ケース内において、所定の角度（例えば４５°）で傾斜配置されている（例えば、特許文献１参照）。
【特許文献１】特開２００１−２０２７４５号公報
【発明の開示】
【発明が解決しようとする課題】
【０００４】
このように、メモリーボードは、ケース内において、所定の角度で傾斜配置される必要があるため、ケースには、メモリーボードを所定の傾斜角度で保持するための保持構造が形成されている。しかしながら、特許文献１に記載の保持構造では、メモリーボードを押圧して保持するため、メモリーボードを変形させてしまう（破損させてしまう）おそれがある。つまり、メモリーボードの保持構造には、未だ改善の余地がある。
【０００５】
そこで、本発明は、メモリーボードを変形させることなく、安定して保持できる保持構造を有する記録テープカートリッジを得ることを目的とする。
【課題を解決するための手段】
【０００６】
上記の目的を達成するために、本発明に係る請求項１に記載の記録テープカートリッジは、上ケースと下ケースとからなり、記録テープが巻装されたリールを収容するケースと、各種情報が記憶され、前記ケース内に所定の角度で傾斜配置される非接触型のメモリーボードと、前記メモリーボードの上方を通過するように前記ケースに移動可能に設けられ、前記記録テープの自由端に取り付けられたリーダー部材を引き出すための開口を開閉する遮蔽部材と、前記下ケースに形成され、前記メモリーボードを収容して該メモリーボードの位置を規制する壁状の位置規制部材と、前記位置規制部材の前記メモリーボードの低位側に対向する側に形成され、前記遮蔽部材を通過させる切欠部と、前記位置規制部材の前記メモリーボードの高位側に対向する側に形成され、前記遮蔽部材を通過させる開口部と、前記上ケースに形成され、前記メモリーボードの長手方向両端部側の上面に非接触で対向する保持部材と、を有することを特徴としている。
【０００７】
請求項１に記載の発明によれば、上ケースに設けられる保持部材は、メモリーボードに非接触で対向する構成とされている。
【０００８】
つまり、上ケースに設けられる保持部材は、メモリーボードに対して積極的に接触することのない構成とされている。
【０００９】
したがって、メモリーボードを変形させるおそれがない。
【００１０】
また、メモリーボードは、壁状の位置規制部材に収容されることによって、その位置が規制されているので、安定して保持される。
【００１１】
更に、その位置規制部材は、メモリーボードの低位側に対向する側に切欠部を有し、メモリーボードの高位側に対向する側に開口部を有しているので、メモリーボードの上方近傍まで移動して来る遮蔽部材との干渉を回避することができる。
【００１２】
また、請求項２に記載の記録テープカートリッジは、請求項１に記載の記録テープカートリッジにおいて、前記下ケースに形成され、前記メモリーボードの下面略中央部を支持する支持部材を有することを特徴としている。
【００１３】
請求項２に記載の発明によれば、下ケースに設けられる支持部材は、メモリーボードの下面略中央部を支持するので、例えばメモリーボードが、その長手方向略中央部よりも一端側に膨出部を有する形状とされている場合でも、その向き（表裏を含む）によらずに、メモリーボードを安定して保持することができる。
【発明の効果】
【００１４】
以上のように、本発明によれば、メモリーボードを変形させることなく、安定して保持できる保持構造を有する記録テープカートリッジを提供することができる。
【発明を実施するための最良の形態】
【００１５】
以下、本発明の最良な実施の形態について、図面に示す実施例を基に詳細に説明する。なお、説明の便宜上、図１において、記録テープカートリッジ１０のドライブ装置（図示省略）への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。
【００１６】
図１、図２で示すように、記録テープカートリッジ１０は、平面視で略矩形状とされたケース１２内に、情報記録再生媒体である磁気テープ等の記録テープＴを巻装したリール１４を回転可能に単一で収容して構成されている。ケース１２は、ドライブ装置への装填方向先頭側の１つの角部である右前角部が平面視で斜めに切り欠かれた上ケース１６と下ケース１８とを互いの周壁１６Ａ、１８Ａを突き合せて接合することで構成されており、その内部にはリール１４を収容する収容空間が形成されている。
【００１７】
また、上ケース１６及び下ケース１８の周壁１６Ａ、１８Ａの切り取られた角部が記録テープＴの引き出し用の開口２０とされ、この開口２０から引き出される記録テープＴの自由端には、ドライブ装置の引出手段によって係止（係合）されつつ引き出し操作されるリーダーピン２２が接続されている。リーダーピン２２の記録テープＴの幅方向端部より突出した両端部には、環状溝２２Ａが形成されており、この環状溝２２Ａが引出手段のフック等に係止される。これにより、記録テープＴを引き出す際に、フック等が記録テープＴに接触して傷付けない構成である。
【００１８】
また、ケース１２の開口２０の内側には、ケース１２内においてリーダーピン２２を位置決め、保持する上下一対のピン保持部２４が設けられている。ピン保持部２４は、略半円筒形状をしており、その凹部２４Ａ内に、直立した状態のリーダーピン２２の両端部が保持されるようになっている。なお、ピン保持部２４の外周壁の記録テープＴ引き出し側は開放しており、リーダーピン２２が出入する出入口となっている。
【００１９】
また、ピン保持部２４の近傍には、板バネ２５が、前壁１２Ａ（周壁１６Ａ、１８Ａのうち、外面が矢印Ａ方向を向く部分）の内面に設けられたバネ保持部２７と溝部２３に、その基部が挿入されて固定配置されるようになっており、この板バネ２５の二股状の先端部がリーダーピン２２の上下端に係合してリーダーピン２２をピン保持部２４に保持するようになっている。なお、リーダーピン２２がピン保持部２４に出入する際には、板バネ２５の先端部は適宜弾性変形してリーダーピン２２の移動を許容するようになっている。
【００２０】
更に、下ケース１８の中央部には、リール１４のリールギア（図示省略）を外部に露出させるためのギア開口２６が設けられており、リール１４はリールギアがドライブ装置の駆動ギア（図示省略）に噛合されてケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８の内側に収容され、ガタつかないように保持されている。
【００２１】
また、遊動規制壁２８の開口２０近傍の端部には、内部に位置規制用穴が形成された袋部２８Ａが連設されており、ケース１２の左前角部の内側においては、長穴である位置規制用穴が形成された袋部２９が遊動規制壁２８とは離間して設けられている。袋部２８Ａ、２９は、矢印Ｂ方向に沿った一直線上に配置されており、下面側における位置規制用穴の周囲（袋部２８Ａ、２９の肉厚と同じか、それよりも少し広い部分）がドライブ装置に対する位置決め用の基準面となっている。そして、袋部２８Ａが連設された端部を除いて、各遊動規制壁２８は、それぞれ端部がケース１２の周壁１６Ａ又は周壁１８Ａと連設されることで、その外側とリール１４の収容空間とを仕切っている。
【００２２】
また、袋部２９が設けられている側の前壁１２Ａと遊動規制壁２８との間の所定位置には、上下一対のビスボス６０が設けられており、下ケース１８における後部内壁１８Ｂの左右両端部と、左壁１２Ｃ及び右壁１２Ｂとの間の両角部における所定位置にも、上下一対のビスボス６２、６４が設けられている。このような上下一対のビスボス６０、６２、６４は、下ケース１８側が貫通しており、上ケース１６側が非貫通となっている。
【００２３】
また、ケース１２の前壁１２Ａの右端部には、開口２０の前縁部を規定する上下一対の短い傾斜壁部３０が設けられている。この傾斜壁部３０は、開口２０の開放面に沿って屈曲形成され、開口２０閉塞時に、後述する平面視略円弧状ドア５０の先端がその内側に入り込むことによって、塵埃等が進入できる隙間が生じないようにする防塵壁となっている。そして、傾斜壁部３０の左方近傍の前壁１２Ａ内側には、上下一対のビスボス３２が連設されている。
【００２４】
また、ケース１２の右壁１２Ｂ（周壁１６Ａ、１８Ａのうち、外面が矢印Ｂ方向を向く部分）の前端部内側には、平面視で、後述するドア５０の外周面に略沿った形状の上下一対の傾斜壁部３４が設けられている。この傾斜壁部３４の前端面が開口２０の後縁を規定しており、その前端部には上下一対のビスボス３６が設けられている。
【００２５】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を切り欠いて形成され、開口２０側へも開放されている。このように、スリット４０が周壁１６Ａの一部を上側に残して形成されると、ケース１２の剛性を維持することができるので好ましい。特にスリット４０を規定する上側の壁が傾斜壁部３４から一体に連設されていると、更に好ましい。
【００２６】
また、下ケース１８の後方側には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、例えばドライブ装置の引き込み手段が係合する係合部とされたり、その底面（下向きの面）がドライブ装置内での位置決め用の基準面とされる。
【００２７】
また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置（図示省略）の把持手段が係合する係合部とされており、このような凹部４６、４８を設けることでケース１２（下ケース１８）の捩り強度が向上されるようになっている。
【００２８】
また、上ケース１６の左壁の上面部分には、平面視略台形状の凹部４４が形成されている。この凹部４４は、開口２０の開放時、ドア５０の開放方向への移動に伴う回転モーメントをキャンセルするために、ドライブ装置に設けられた保持部材（図示省略）が係合する係合部とされている。
【００２９】
また、上ケース１６及び下ケース１８において、開口２０近傍から遊動規制壁２８が最も右壁１２Ｂに接近する部位近傍まで（以下、前半という）と、スリット４０の後端近傍から後壁の近傍まで（以下、後半という）、後述するドア５０の凸部５１を内面側及び外面側の両側方から挟み込むように支持する所定高さ（例えば、１．０ｍｍ〜１．５ｍｍ程度の高さ）のガイド壁部４２が立設されている。
【００３０】
このガイド壁部４２は、上ケース１６と下ケース１８とではその長さが異なっており、上ケース１６側の方が下ケース１８側よりも後半側が長く形成されている。これは、下ケース１８の後部内壁１８Ｂの右壁１２Ｂ側に、後述するメモリーボードＭを収容する平面視略「Ｃ」字状の位置規制リブ（位置規制部材）７２が形成されているからである。また、後半のガイド壁部４２は、その後端部が平面視略円弧状に閉塞されており、ドア５０がそれ以上後方へ移動できないように、上下それぞれ最も後側の凸部５１を規制するようになっている。
【００３１】
一方、前半のガイド壁部４２は、その前端部が開放されており、リーダーピン２２の出入時に、そのリーダーピン２２の出入を妨げないような位置（図示のものはピン保持部２４よりもケース１２の後方側で、開口２０の開口幅の約半分程度）まで延設されている。また、傾斜壁部３０の近傍にも、ガイド壁部４２の延長線上に位置するように、後端部が開放されたガイド壁部４１が立設されている。このガイド壁部４１は、その後端部がリーダーピン２２の出入を妨げないように、ピン保持部２４の前端よりも後方側には延設されないようになっており、ドア５０は、その先端がガイド壁部４１に入り込んだ状態で、開口２０を閉塞するようになっている。
【００３２】
また、ガイド壁部４１及び前半のガイド壁部４２は、後半のガイド壁部４２よりも若干低くなるように形成されている。すなわち、例えばガイド壁部４１及び前半のガイド壁部４２の高さは約１ｍｍに形成され、後半のガイド壁部４２の高さは約１．５ｍｍに形成されている。これは、リーダーピン２２をチャックして引き出すために、ドライブ装置に設けられた引出手段が、開口２０に入り込めるスペースを確保するためである。したがって、後述するように、ガイド壁部４１及び前半のガイド壁部４２が低くなっている分、その前半部分（少なくとも開口２０を閉塞する部分）におけるドア５０の板幅（高さ）が、大きく（高く）なるように形成されている。
【００３３】
更に、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、内側のガイド壁部４２はピン保持部２４と一体になるように連設されているが、ピン保持部２４の高さは、一体に連設されたガイド壁部４２の高さと略同等か、それよりも高く形成されていることが望ましい。
【００３４】
以上、説明した上ケース１６と下ケース１８とは、開口２０の縁部の近傍に位置する各ビスボス３２、３６と、上記した各ビスボス６０、６２、６４に下側から図示しないビスがねじ込まれて固定（接合）される構成である。これによって、特に傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、記録テープカートリッジ１０全体の重量で変形したり、座屈して位置ずれしたりしない構成である。
【００３５】
また、その開口２０は、遮蔽部材としてのドア５０によって開閉されるようになっている。ドア５０は、少なくとも開口２０を閉塞する部分の板幅（高さ）が開口２０の開口高さと略同一に形成され、それより後側が若干小さく（低く）形成されるとともに、その板長が開口２０の開口幅よりも充分に大きく形成されている。そして、所定の円周に沿って移動できるように、板厚方向に湾曲した平面視略円弧状に形成されている。
【００３６】
このドア５０は、その先端部がガイド壁部４１に入り込んだ状態で開口２０を閉塞し、上記した所定の円周に沿って略後方へスライド移動（回動）して開口２０を開放し、その先端近傍の外周面がビスボス３６近傍に達すると、開口２０を完全に開放する構成になっている。そして、開口２０を開放する際と反対方向にスライド移動（回動）することにより、開口２０を閉塞する構成になっている。
【００３７】
このように、ドア５０は、その移動軌跡である所定の円周に対応した円弧状に湾曲形成されており、その回動中心は、本実施形態では、左右方向の位置がケース１２の左端近傍に、前後方向の位置がスリット４０の後端近傍に設定されている。これにより、ドア５０の移動軌跡は、スリット４０の後端近傍において、ケース１２の右壁１２Ｂに最も近接する。なお、ドア５０の回転中心及び半径は、ドライブ装置からの要求により決まる開口２０前後の縁部（傾斜壁部３０及びビスボス３６）の位置やライブラリー装置からの要求により決まる開口２０の開放面の角度等に応じて適宜決められればよい。
【００３８】
また、ドア５０の湾曲した長手寸法は、その後端部が開口２０の閉塞状態において、ケース１２の凹部４８よりも後方の（凹部４６近傍の）右後角部内に位置するように決められており、ドア５０の後下部は、後述する位置規制リブ７２内に所定の角度θで傾斜配置されたメモリーボードＭを回避するために、斜めに切り欠かれている。なお、ドア５０の前端部内面及び外面の少なくとも一方は、ガイド壁部４１間にスムーズに入り込めるようにテーパー面に形成されることが好ましい。
【００３９】
また、そのドア５０の上面及び下面には、ガイド壁部４２のガイド面（互いに対向している内面）と、ガイド壁部４２間の上ケース１６内面及び下ケース１８内面にそれぞれ当接して、ドア５０を開口２０の開閉方向に案内する凸部５１が突設されている。この凸部５１は、ドア５０の長手方向に沿って長い平面視略楕円形状に形成され、上面及び下面にそれぞれ４つずつ、最も後側の凸部５１を除いて上下対称に、かつ、ガイド壁部４２の高さと略同等の高さ（例えば、ドア５０の板幅が異なる境界部分より前側は約０．５ｍｍ、後側は約１．５ｍｍ）になるように突設されている。なお、最後側の凸部５１が上下対称でないのは、ドア５０の後下部が斜めに切り欠かれていることによる。
【００４０】
このような凸部５１を設けると、ガイド壁部４１及びガイド壁部４２間の上ケース１６内面及び下ケース１８内面並びにガイド壁部４１及びガイド壁部４２のガイド面との摺動抵抗（摩擦）を低減することができ、ドア５０を抵抗少なく、スムーズに摺動させることが可能となる。更に、凸部５１が平面視略楕円形状に形成されていると、例えば平面視略円形状に形成されているものよりも耐衝撃性に優れる。したがって、落下等の衝撃により、ドア５０に開閉方向以外から力が加えられても、その凸部５１が折れるおそれはない。
【００４１】
また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。
【００４２】
そして、開口２０の開放状態では、操作突起５２は、スリット４０の後縁から僅かに離間して位置するようになっており、このとき、ガイド壁部４２の閉塞された後端部に最後端側の凸部５１が当接している。なお、操作突起５２露出用のスリット４０によってケース１２の内外が連通されるが、このスリット４０はビスボス３６と、ケース１２内の略全高に亘るドア５０によって常時ほぼ閉塞され、かつ、そのケース１２内には、内壁としての遊動規制壁２８が設けられているので、リール１４に巻装された記録テープＴへの塵埃等の付着は防止される。
【００４３】
また、ドア５０の前端部内面には、開口２０閉塞時において、リーダーピン２２の上端部側面及び下端部側面に当接するストッパー５８が突設されており、落下衝撃等によってリーダーピン２２がピン保持部２４から脱落するのを、より一層防止できるようになっている。そして、ドア５０を開口２０閉塞方向へ付勢する付勢部材としてのコイルバネ５６は、ドア５０が開口２０の閉塞状態でケース１２の右後角部に至る長さであるため、その右後角部における遊動規制壁２８と右壁１２Ｂ（周壁１６Ａ、１８Ａ）との間の空間を有効利用して配設されている。
【００４４】
すなわち、ドア５０の後端近傍の内周面には、板状の支持部５３が一体に連設され、その支持部５３の上面にバネ保持部５４が上方に向かって一体的に突設されており、下ケース１８の凹部４８近傍の内面には、円柱状のバネ係止部５５が上方に向かって突設されている。そして、コイルバネ５６の両端にはリング状の取付部５６Ａ、５６Ｂがそれぞれ形成されている。したがって、コイルバネ５６は、その一方の取付部５６Ｂをバネ係止部５５に上方から挿入し、他方の取付部５６Ａをバネ保持部５４に上方から挿入することにより、上記した空間内に簡単に取り付けることができる。
【００４５】
また、上ケース１６内面には、ドア５０の開閉時に、バネ保持部５４の上端が摺接するリブ５７が、平面視略円弧状に立設されている。このリブ５７は、少なくともドア５０が移動（開放）し始める際には、バネ保持部５４の上端が摺接できるような位置及び長さに配設され、コイルバネ５６の付勢力に抗して移動するバネ保持部５４を好適にガイドすることにより、ドア５０がより安定して開放されるように（開放時にドア５０がコイルバネ５６の付勢力によってブレないように）している。
【００４６】
また、このリブ５７を設けることにより、上記のようにして取り付けられたコイルバネ５６の取付部５６Ａが、落下等による衝撃がケース１２に加えられてバネ保持部５４を上昇してきても、そのバネ保持部５４から外れないようにできる。なお、バネ係止部５５側も、その上端が上ケース１６の遊動規制壁２８とガイド壁部４２との間に挿入されることになるので、同様に、取付部５６Ｂがバネ係止部５５から外れるのを防止することができる。
【００４７】
また、図２、図５〜図７で示すように、ケース１２の右後部には、記録容量、記録形式等の各種情報が記憶され、非接触でアクセス可能なＩＣチップ（図示省略）を備えたメモリーボードＭが所定の角度θ（例えばθ＝４５°）で傾斜配置される。このメモリーボードＭは、略矩形平板状（平面視略長方形状）に形成され、その長手方向略中央部よりも一端側（例えば左半分側）の一方の面（上面）には、メモリーボードＭの略半分の大きさを占める膨出部ｅが形成されている。
【００４８】
この膨出部ｅは、ＩＣチップを保護材Ｐで保護したために形成され、これによって、メモリーボードＭの長手方向一端側（この場合は左半分側）の板厚が、他端側（この場合は右半分側）の板厚よりも厚くなっている。そして、メモリーボードＭは、その膨出部ｅが、例えば図示のように左側に来るように、長手方向を左右方向としてケース１２内に設けられ、ケース１２に形成された保持構造７０によって保持されるようになっている。
【００４９】
図３、図５〜図７で示すように、下ケース１８内面で、右後側のビスボス６４の左方側には、そのメモリーボードＭが所定の角度θに傾斜した姿勢を維持できるように（滑って倒れないように）内側に収容し、その前後方向及び左右方向の位置を規制する（位置ズレを抑制又は防止する）平面視略「Ｃ」字状の位置規制リブ（位置規制部材）７２が所定厚さ及び所定高さで突設されている。
【００５０】
すなわち、保持構造７０を構成する位置規制リブ７２は、ケース１２後方側の壁面７２Ｂの左右方向略中央部が所定幅で開口しており、ケース１２の右壁１２Ｂを上側にして下ケース１８を上から見たときに、略「Ｃ」字状となるように形成されている。そして、この位置規制リブ７２は、ケース１２前方側の壁面７２Ａの一部（左右方向略中央部から右方側）が所定高さＨを残して所定幅で切り欠かれており、その切り欠かれた部位が切欠部７４とされている。
【００５１】
このように、位置規制リブ７２のケース１２後方側の壁面７２Ｂの左右方向略中央部が開口し、位置規制リブ７２のケース１２前方側の壁面７２Ａに切欠部７４が形成されているのは、図６で示すように、開口２０を開放させるために、ドア５０がケース１２後方に向かってスライド移動して来た際に、そのドア５０の後端部、支持部５３、バネ保持部５４、コイルバネ５６が干渉しない（当たらない）ようにするためであって、それらが干渉しない程度の幅に切欠部７４が形成され、位置規制リブ７２のケース１２後方側の壁面７２Ｂの左右方向略中央部が開口している。
【００５２】
なお、位置規制リブ７２のケース１２前方側の壁面７２Ａの高さが全体的に所定高さＨとされていれば、図示のような切欠部７４を形成しなくてもよい。つまり、位置規制リブ７２は、ドア５０の後端部、支持部５３、バネ保持部５４、コイルバネ５６を回避するために、少なくともケース１２後方側の壁面７２Ｂの左右方向略中央部が開口されている必要があり、よって、平面視略「Ｃ」字状とされている。換言すれば、この位置規制リブ７２は、ケース１２内の他の部品との干渉を回避するために、平面視略「Ｃ」字状に形成されている。
【００５３】
また、その位置規制リブ７２の内側における下ケース１８内面の左右方向略中央部には、ケース１２の前後方向に延在する板状の支持リブ（支持部材）７６が所定厚さ及び所定高さで突設されている。位置規制リブ７２と共に保持構造７０を構成する支持リブ７６の上面は、所定の角度θ（例えばθ＝４５°）に傾斜した支持面７８とされており、この支持面７８（支持リブ７６）により、メモリーボードＭの膨出部ｅが形成されていない他方の面（下面）の長手方向略中央部が支持されるようになっている。なお、支持面７８の傾斜角度θは、メモリーボードＭに対するケース１２の下面側及び後面側からのアクセスを良好にするため、４５°にすることが望ましい。
【００５４】
一方、図４、図７で示すように、上ケース１６内面で、右後側のビスボス（図示省略）よりも左方側には、ケース１２の前後方向に延在する板状の保持リブ（保持部材）８０が、左右方向に所定間隔を隔てて（左右一対として）、所定厚さ及び所定高さで突設されている。位置規制リブ７２及び支持リブ７６と共に保持構造７０を構成する保持リブ８０は、側面視略「Ｌ」字状に形成され、その突出した先端部（下端部）８２が、メモリーボードＭの長手方向両端部近傍（メモリーボードＭの長手方向両端部から１ｍｍ以内）の上面に非接触で対向するようになっている。
【００５５】
ここで、メモリーボードＭの長手方向一端側には、膨出部ｅが形成されている。そのため、保持リブ８０の突出した先端部８２は、図７で示す側面視で、ケース１２前方側の突出高さがケース１２後方側の突出高さよりも高くなるように、略「へ」字状に切り欠かれている。つまり、側面視略「ヘ」字状に切り欠かれた先端部８２のケース１２前方側の下面８４が、メモリーボードＭ及び膨出部ｅの傾斜角度θとほぼ同一となるような傾斜面（図７の側面視で右下がりの傾斜面）とされ、膨出部ｅが左右どちら側に来ても、その膨出部ｅの上面に対して、微少な間隙Ｓを隔てて対向できるようになっている（図５、図７参照）。
【００５６】
このように、保持リブ８０は、メモリーボードＭに対して積極的に接触しない状態で保持するように（メモリーボードＭに反りなどがない通常時では非接触状態で保持するように）構成されており、保持リブ８０の先端部８２は、メモリーボードＭの膨出部ｅを許容できるように（膨出部ｅの形状に沿うような下面８４が形成されるように）、側面視略「へ」字状に切り欠かれている。
【００５７】
以上のような構成の記録テープカートリッジ１０において、次にその作用について説明する。上記構成の記録テープカートリッジ１０では、不使用時（保管時や運搬時等）には、開口２０がドア５０によって閉塞されている。具体的には、ドア５０は、コイルバネ５６の付勢力によって、常時開口２０の閉塞方向へ付勢されており、その先端部（前端部）が傾斜壁部３０近傍のガイド壁部４１に入り込む状態で開口２０を閉塞している。
【００５８】
記録テープカートリッジ１０は、この状態でライブラリー装置に複数収納されている。そして、図示しないロボットハンドに設けられた読取装置が各記録テープカートリッジ１０の後面（後壁）側からメモリーボードＭにアクセスし、それに記憶されている記録容量等の各種情報を読み取るとともに、その情報を制御装置に伝達する。これにより、各記録テープカートリッジ１０に最適な（各記録テープカートリッジ１０を記録・再生可能な）ドライブ装置が予め制御装置に認識される。
【００５９】
さて、記録テープＴを使用する際には、ロボットハンドにより、記録テープカートリッジ１０の１つをライブラリー装置から取り出し、その記録テープカートリッジ１０を矢印Ａ方向に沿ってドライブ装置へ装填する。このドライブ装置は、メモリーボードＭに記憶された情報を読み取った結果、選ばれたドライブ装置であり、記録テープカートリッジ１０は、ロボットハンドによってスムーズに、かつ効率よく、そのドライブ装置に装填される。そして、この装填に伴って、ドライブ装置の開閉部材（図示省略）が、前方へ開放しているスリット４０に進入し、ドア５０の操作突起５２に係合する。
【００６０】
この状態で、記録テープカートリッジ１０（ケース１２）を更に矢印Ａ方向へ押し込むと、この押し込み力によってコイルバネ５６の付勢力に抗しつつ、上記開閉部材が操作突起５２を後方へ移動させる（矢印Ａ方向へ装填されるケース１２に対して後方へ相対移動させる）。すると、その操作突起５２が突設されているドア５０は、凸部５１がガイド壁部４２によって案内されつつ、その湾曲方向に沿って平面視時計方向に回動する。
【００６１】
すなわち、ドア５０は、ガイド壁部４２によって、その湾曲形状に沿った移動軌跡からはみ出すことなく、ピン保持部２４及びリール１４の外側を回り込むように略後方へ移動し、開口２０を開放する。そして、ケース１２（記録テープカートリッジ１０）がドライブ装置に所定深さ装填されると、開口２０が完全に開放されるとともに位置決めされ、ドライブ装置に設けられた読取書込装置が、記録テープカートリッジ１０の下面側からメモリーボードＭにアクセスし、それに記憶されている各種情報を読み取り、更には必要に応じて個別の情報を書き込む。
【００６２】
こうして開口２０が開放された状態で記録テープカートリッジ１０がドライブ装置内で位置決めされると、ドア５０はそれ以上の回動（略後方への移動）が規制され、開放された開口２０からはドライブ装置の引出部材（図示省略）がケース１２内に進入し、ピン保持部２４に位置決め保持されているリーダーピン２２を抜き出して、図示しない巻取リールに収容する。そして、その巻取リールとリール１４とを同期して回転駆動することにより、記録テープＴは、巻取リールに巻き取られつつ順次ケース１２から引き出され、所定のテープ経路に沿って配設された記録再生ヘッドによって情報の記録や再生が行われる。
【００６３】
一方、記録テープＴがリール１４に巻き戻されて、記録テープカートリッジ１０をドライブ装置から排出する際には、記録テープカートリッジ１０は、位置決め状態が解除され、コイルバネ５６の付勢力又は図示しないイジェクト機構によって矢印Ａ方向とは反対方向に移動される。すると、ドア５０は、その凸部５１がガイド壁部４２に案内されつつ、コイルバネ５６の付勢力によって開口２０の閉塞方向へ回動する。そして、ドア５０の先端部がガイド壁部４１に入り込むことにより、開口２０が完全に閉塞され、初期状態に復帰する。
【００６４】
次に、メモリーボードＭを保持する保持構造７０の作用について説明する。記録テープカートリッジ１０の製造工程では、メモリーボードＭは、下ケース１８側へ供給される。下ケース１８には、メモリーボードＭを内側に収容し、その前後方向及び左右方向の位置を規制する平面視略「Ｃ」字状の位置規制リブ７２と、メモリーボードＭの下面略中央部を支持する支持リブ７６が形成され、その支持リブ７６には、所定の角度θ（θ＝４５°）に傾斜した支持面７８が形成されているので、メモリーボードＭは、下ケース１８における所定の位置に、所定の角度θで、精度よく安定して傾斜配置される。
【００６５】
また、位置規制リブ７２は、ケース１２後方側の壁面７２Ｂの左右方向略中央部が開口している平面視略「Ｃ」字状に形成されている。そして更に、位置規制リブ７２のケース１２前方側の壁面７２Ａには、所定幅の切欠部７４が形成されている。したがって、ドア５０が開口２０を開放させるために、ケース１２後方へスライド移動して来ても、そのドア５０の後端部、支持部５３、バネ保持部５４、コイルバネ５６が位置規制リブ７２に干渉することはない（当たることはない）。つまり、これにより、記録テープカートリッジ１０の品質を安定化することができる。
【００６６】
また、上ケース１６には、所定高さの保持リブ８０が左右一対で形成されている。したがって、メモリーボードＭが下ケース１８の位置規制リブ７２内に収容され、所定の角度θで傾斜配置された後、所定のタイミングで上ケース１６が下ケース１８に被されるが、このとき、メモリーボードＭの膨出部ｅの上面に、保持リブ８０の一方が所定の間隙Ｓを隔てて対向し、メモリーボードＭの膨出部ｅが形成されていない上面に、保持リブ８０の他方が所定の間隙（間隙Ｓよりも膨出部ｅの厚さ分大きい間隙）を隔てて対向する。
【００６７】
つまり、保持リブ８０は、メモリーボードＭに対して積極的に接触することがない状態で（非接触状態で）対向し、そのメモリーボードＭを保持する。そのため、メモリーボードＭが保持リブ８０に押圧されるような不具合はなく、よって、メモリーボードＭが変形するおそれがない。また、逆に、メモリーボードＭの長手方向両端部に斜め上方側に向かうような反りがあった場合には、その反りを保持リブ８０で矯正することができる。
【００６８】
また、上記したように、メモリーボードＭは、その長手方向略中央部よりも一端側（例えば左半分側）に、メモリーボードＭの略半分の大きさを占める膨出部ｅが形成されている。しかし、支持リブ７６はメモリーボードＭの長手方向略中央部を支持するので、下ケース１８に対して、メモリーボードＭの向きが、図示のものと左右反対或いは表裏反対になって供給されても、その膨出部ｅを破損することなく（その膨出部ｅを避けて）、メモリーボードＭを支持することができる。
【００６９】
つまり、このような形状とされた保持構造７０によれば、長手方向略中央部よりも一端側に膨出部ｅを有する形状とされたメモリーボードＭであっても、供給される向きを制限することなく、そのメモリーボードＭを安定して保持することが可能となる（メモリーボードＭの形状に依存されず、その位置及び角度を安定化することが可能となる）。したがって、記録テープカートリッジ１０の製造ライン上のコストを低減することが可能となり、その生産性を向上させることができる。
【００７０】
以上、説明したように、本実施形態に係る保持構造７０によれば、メモリーボードＭを変形させることなく、安定して保持することができる。特に、そのメモリーボードＭが、長手方向一端側に膨出部ｅを有する構成とされていても、その向き（表裏を含む）によらずに、位置（角度を含む）精度よく安定して保持することができる。
【００７１】
したがって、メモリーボードＭに対してケース１２後面側からアクセスするライブラリー装置の読取装置や、メモリーボードＭに対してケース１２下面側からアクセスするドライブ装置の読取書込装置との通信距離精度を向上させることができ、その読取装置や読取書込装置から送信される電磁波を、メモリーボードＭのアンテナ全体で安定して受信することができる。よって、読み取り精度や書き込み精度を向上させることができ、読み取りエラーや書き込みエラーが発生しないようにできる。
【００７２】
また、位置規制リブ７２は、平面視略「Ｃ」字状に形成されて、少なくともその一部が開口しているので、ケース１２内の他の部品との干渉を回避することができる。すなわち、例えばケース１２内に設けられた移動部材（例えばドア５０等）がメモリーボードＭの上方近傍までスライド移動して来る構成の記録テープカートリッジ１０であっても、メモリーボードＭを内側に収容する位置規制リブ７２に、その移動部材（例えばドア５０等）が干渉するのを防止することができる。よって、記録テープカートリッジ１０の品質を確保することができる。
【００７３】
なお、本実施形態に係る記録テープカートリッジ１０は、図示のものに限定されるものではなく、本発明の要旨を逸脱しない範囲内において、適宜設計変更可能なものである。例えば、上記実施例の記録テープカートリッジ１０では、リーダー部材としてリーダーピン２２を有する構成としたが、図示しないリーダーテープやリーダーブロックを有する構成としてもよい。
【００７４】
また、ドア５０も、平面視略円弧状にスライドするものに限定されるものではなく、例えば直線状にスライドするドアとしてもよい。更に、記録テープＴは、情報の記録及び記録した情報の再生が可能な長尺テープ状の情報記録再生媒体として把握されるものであれば足り、記録テープカートリッジ１０が、如何なる記録再生方式の記録テープＴにも適用可能であることは言うまでもない。
【図面の簡単な説明】
【００７５】
【図１】記録テープカートリッジの概略斜視図
【図２】記録テープカートリッジの概略分解斜視図
【図３】下ケース側におけるメモリーボードの保持構造を示す概略斜視図
【図４】上ケース側におけるメモリーボードの保持構造を示す概略斜視図
【図５】メモリーボードとその保持構造を上ケースの天板を省略して示す概略平面図
【図６】ドアをスライドさせたときのメモリーボードとその保持構造を上ケースの天板を省略して示す概略平面図
【図７】メモリーボードとその保持構造を上ケースの天板を省略して示す概略断面図
【符号の説明】
【００７６】
１０  記録テープカートリッジ
１２  ケース
１４  リール
１６  上ケース
１８  下ケース
２０  開口
２２  リーダーピン
４２  ガイド壁部
５０  ドア（遮蔽部材／移動部材）
５６  コイルバネ
７０  保持構造
７２  位置規制リブ（位置規制部材）
７４  切欠部
７６  支持リブ（支持部材）
７８  支持面
８０  保持リブ（保持部材）
８２  先端部
８４  下面
ｅ  膨出部
Ｍ  メモリーボード
Ｔ  記録テープ
【図１】
0004846748.tif 000002
【図２】
0004846748.tif 000003
【図３】
0004846748.tif 000004
【図４】
0004846748.tif 000005
【図５】
0004846748.tif 000006
【図６】
0004846748.tif 000007
【図７】
0004846748.tif 000008